(57)【特許請求の範囲】
【請求項１】
箱本体と、箱本体の一面に沿ってスライドするように移動方向が規制され箱本体の前記一面を開閉する蓋体と、前記箱本体の前記一面とは異なる面から挿入されるとともに先端部が前記一面に露出可能とされたロックねじと、前記箱本体においてロックねじが挿通される挿入孔内に固定されロックねじに螺合するナットとを備え、前記蓋体が前記箱本体の前記一面を閉じた状態で前記蓋体におけるロックねじの先端部との対応部位にはロックねじの先端部が挿抜自在なロック凹所が形成されており、ロックねじをナットに締め付けたときにロックねじの先端部が前記箱本体の前記一面から突出してロック凹所に挿入されることを特徴とする筐体。
【請求項２】
前記箱本体に電子機器が収納されるとともに電子機器の電源となる電池を交換可能とするように前記一面に電池ホルダが形成され、前記蓋体により電池ホルダが覆われることを特徴とする請求項１記載の筐体。
【請求項３】
前記箱本体に電子機器が収納されるとともに電子機器の動作条件を設定する操作部が前記一面に臨んで配置され、前記蓋体により操作部が覆われることを特徴とする請求項１または請求項２記載の筐体。
【請求項４】
前記一面は前記箱本体の前面であって、前記ロックねじが前記箱本体の裏面側から挿入されることを特徴とする請求項１ないし請求項３のいずれか１項に記載の筐体。
【請求項５】
前記ロック凹所が前記蓋板の裏面に突設されたボス内に形成されていることを特徴とする請求項１ないし請求項４のいずれか１項に記載の筐体。
【請求項６】
前記ロックねじの先端側がねじ部であり基部側がねじ部よりも直径の小さい非ねじ部であって、前記挿入孔の内部に、非ねじ部とねじ部との間に形成される段部を係止してロックねじを抜け止めする係止片が形成されていることを特徴とする請求項１ないし請求項５のいずれか１項に記載の筐体。
【請求項７】
前記ロックねじの先端部を前記ロック凹所に挿入した状態で前記挿入孔内に前記ロックねじの頭部が収まるように前記ロックねじと前記挿入孔との寸法が設定されていることを特徴とする請求項１ないし請求項６のいずれか１項に記載の筐体。
【発明の詳細な説明】
【０００１】
【発明の属する技術分野】
本発明は、箱本体の一面に沿ってスライド自在な蓋体を備えた筐体に関するものである。
【０００２】
【従来の技術】
従来から、箱本体の一面に沿ってスライド自在な蓋体を設けた筐体が提供されており、これらの筐体では、箱本体に収納された交換可能な部材を覆ったり、箱本体に設けた操作部を覆ったりするために蓋体が用いられている。
【０００３】
ところで、筐体内に収納された部材に不用意に触れると不都合が生じるような場合には、蓋体を容易に開閉することができないように、蓋体を箱本体にねじによって固定する構成が広く採用されている。つまり、箱本体にナットのような螺合部を設け、蓋体に設けた挿入孔を通してねじを螺合部に螺合させる構成が広く採用されている。
【０００４】
【発明が解決しようとする課題】
上述のように、蓋体からねじを挿入する構成では、ねじの頭部によって蓋体を箱本体に押し付けるものであるから、蓋体の一部が変形したり破損したりするおそれがある。また、ねじの頭部と箱本体との間で蓋体の一部を挟持するから、ねじを緩めたときに蓋体から脱落するのを防止する構造を採用するのが難しいという問題もある。
【０００５】
本発明は上記事由に鑑みて為されたものであり、その目的は、蓋体が不用意に開かれるのを防止することを可能とするためにロックねじを用いながらも、ロックねじの頭部で蓋体や箱本体を押さえ付ける必要がない構成を採用し、またロックねじを緩めたときにロックねじの脱落を防止する構造を容易に実現できるようにした筐体を提供することにある。
【０００６】
【課題を解決するための手段】
請求項１の発明は、箱本体と、箱本体の一面に沿ってスライドするように移動方向が規制され箱本体の前記一面を開閉する蓋体と、前記箱本体の前記一面とは異なる面から挿入されるとともに先端部が前記一面に露出可能とされたロックねじと、前記箱本体においてロックねじが挿通される挿入孔内に固定されロックねじに螺合するナットとを備え、前記蓋体が前記箱本体の前記一面を閉じた状態で前記蓋体におけるロックねじの先端部との対応部位にはロックねじの先端部が挿抜自在なロック凹所が形成されており、ロックねじをナットに締め付けたときにロックねじの先端部が前記箱本体の前記一面から突出してロック凹所に挿入されるものである。
【０００７】
請求項２の発明は、請求項１の発明において、前記箱本体に電子機器が収納されるとともに電子機器の電源となる電池を交換可能とするように前記一面に電池ホルダが形成され、前記蓋体により電池ホルダが覆われるものである。
【０００８】
請求項３の発明は、請求項１ないし請求項３の発明において、前記箱本体に電子機器が収納されるとともに電子機器の動作条件を設定する操作部が前記一面に臨んで配置され、前記蓋体により操作部が覆われるものである。
【０００９】
請求項４の発明は、請求項１ないし請求項３の発明において、前記一面は前記箱本体の前面であって、前記ロックねじが前記箱本体の裏面側から挿入されるものである。
【００１０】
請求項５の発明は、請求項１ないし請求項４の発明において、前記ロック凹所が前記蓋板の裏面に突設されたボス内に形成されているものである。
【００１１】
請求項６の発明は、請求項１ないし請求項５の発明において、前記ロックねじの先端側がねじ部であり基部側がねじ部よりも直径の小さい非ねじ部であって、前記挿入孔の内部に、非ねじ部とねじ部との間に形成される段部を係止してロックねじを抜け止めする係止片が形成されているものである。
【００１３】
請求項７の発明は、請求項１ないし請求項６の発明において、前記ロックねじの先端部を前記ロック凹所に挿入した状態で前記挿入孔内に前記ロックねじの頭部が収まるように前記ロックねじと前記挿入孔との寸法が設定されているものである。
【００１４】
【発明の実施の形態】
本実施形態では、図１ないし図３に示す薄箱状の筐体１を備えた無線機器を例示するが、本発明の技術思想の適用範囲は無線機器に限定されるものではない。図示例は家庭内などで用いるページャの受信機であって、送信機からの呼出を報知する機能および送信機からのメッセージを表示する機能を有している。
【００１５】
筐体１は合成樹脂成形品であって、受信器の回路部分を収納するとともに電池を保持する電池ホルダ１１を有した箱本体２と、電池ホルダ１１を覆う位置と電池ホルダ１１を開放する位置との間で箱本体２の前面に沿ってスライドする蓋体３とにより構成される。箱本体２の前面であって蓋体３に覆われない部位には液晶表示器からなる表示部１２が配置され、表示部１２の近傍で筐体１の側面には押釦スイッチの操作部１３が設けられる。蓋体３に覆われる部位であって、電池ホルダ１１の近傍には動作条件を設定するための押釦スイッチの操作部１４ａ，１４ｂが設けられ、箱本体２に蓋体３を装着した状態では、操作部１４ａ，１４ｂが蓋体３により覆われるようになっている。つまり、操作部１４ａ，１４ｂは動作モードやチャンネルの選択・解除に用いられ、受信器の使用前に一旦設定した後には通常は操作されることがないものである。したがって、蓋体３により操作部１４ａ，１４ｂを覆うことによって誤って操作されるのを防止してある。
【００１６】
蓋体３は前面板３ａの両側縁から後方に向かってそれぞれ側板３ｂが突設されるとともに、残りの一端縁から後方に向かって端板３ｃが突設された形状に形成され、側板３ｂと端板３ｃとは連続している。一方、箱本体２において蓋体３が装着される部位は他の部位に対して段差部１５を有し、箱本体２に蓋体３を装着したときに前面板３ａと側板３ｂと端板３ｃとが段差部１５に合致することによって、箱本体２の外側面と蓋体３の外側面とがほぼ連続して凹凸が形成されないようにしてある。
【００１７】
ところで、箱本体２において蓋体３が装着される部位の両側面には、箱本体２の長手方向に沿って走る案内溝４が形成され、蓋体３の両側板３ｂの内側面には図４に示すように案内溝４に嵌入されて箱本体２に対する蓋体３の移動方向を規制する案内突起５が突設されている。したがって、蓋体３は箱本体２の前面に沿ってのみスライド可能になるように移動方向が規制される。また、蓋体３の前面板３ａにおいて側板３ｂおよび端板３ｃを設けていない端縁には一対の係止爪１６が突設され、端板３ｃの内側面には一対の保持爪１７が突設されている。箱本体２において表示部１２の近傍の段差部１５には、蓋体３を箱本体２に装着したときに係止爪１６が挿入される係止孔１８が形成され、箱本体２において蓋体３を箱本体２に装着したときに端板２ｃに重複する部位には保持爪１７が挿入される保持孔１９が形成される。したがって、案内突起５を案内溝４に嵌入させた状態で蓋体３を箱本体２に対してスライドさせ、係止爪１６を係止孔１８に挿入し、保持爪１７を保持孔１９に挿入すれば、案内突起５と係止爪１６と保持爪１７とにより蓋体３が箱本体２に結合されることになる。
【００１８】
蓋体３における前面板３ａの裏面であって端板３ｃの近傍にはボス６が突設され、ボス６の先端面にはロック凹所７が形成されている。また、箱本体２の前面であって蓋板３がスライドする際にボス６が通過する部位には一端が箱本体２の周面に開放された通過溝２０が形成されている。したがって、蓋体３を箱本体２の前面に沿ってスライドさせるとボス６が通過溝２０に導入されるのである。箱本体２において通過溝２０に対応する部位には、図５に示すように、前後に貫通する挿入孔７が形成され、挿入孔７の内部にはナット８が固定されている。このナット８は箱本体２と同時一体に成形されており、ナット８にはロックねじ９が螺合する。ロックねじ９の先端部にはねじ部９ａが形成され、ロックねじ９の基部にはねじ部９ａよりも直径が小さい非ねじ部９ｂが形成される。つまり、ねじ部９ａと非ねじ部９ｂとの間には段部９ｃが形成される。挿入孔７の内周面には挿入孔７の中心軸方向の中間部においてロックねじ９の頭部を受けることができる内鍔片１０が形成され、内鍔片１０の内周面にはロックねじ９の段部９ｃを係止してロックねじ９が蓋体３から脱落するのを防止する係止片１０ａが突設されている。ただし、係止片１０ａは可撓であってロックねじ９のねじ部９ａを押し込むことが可能になっている。
【００１９】
ロックねじ９は、ナット８に螺合させた状態で締め付けたときに先端部が箱本体２の前面から突出可能であり、ロックねじ９を緩めると先端部が箱本体２の前面から後退するようになっている。また、ロックねじ９がナット８から外れた状態でもロックねじ９の段部９ｃが係止片１０ａに係止されることによって、ロックねじ９が箱本体２から脱落しないようにしてある。さらに、ロックねじ９の先端部を箱本体２の前面から突出させた状態で、ロックねじ９の頭部が挿入孔７の中に収まるように内鍔片１０の位置およびロックねじ９の長さ寸法が設定されている。
【００２０】
しかして、ロックねじ９は蓋体３を箱本体２に装着した状態でのボス６に対応する部位に配置されており、ロックねじ９を緩め図５（ａ）のようにロックねじ９の先端部を箱本体２の前面から後退させた状態では、蓋体３を箱本体２に対してスライドさせることが可能になり、蓋体３を箱本体２に装着した状態でロックねじ９を締め付けると、図５（ｂ）のようにロックねじ９の先端部がボス６に設けたロック凹所６ａに挿入される。このようにロックねじ９がロック凹所６ａに挿入された状態では蓋体３は箱本体２に対してスライドすることができなくなり、蓋体３が箱本体２から不用意にはずされるのを防止することができる。つまり、電池が電池ホルダ１１から不用意に外されたり、操作部１４ａ，１４ｂが不用意に操作されたりするのを防止することができる。
【００２１】
また、上述したように、ロックねじ９は箱本体２の後面（裏面）側から挿入され、蓋体３の裏面に突設したボス６の先端面に開口するロック凹所６ａに挿入されるから、ロックねじ９が筐体１の前面側に露出することがなく、操作部１４ａ，１４ｂを箱本体２の前面側に配置して操作を容易にしながらも、ロックねじ９の露出を防止して見映えのよい外観を得ることができる。しかも、ロックねじ９を締め付けたときに、ロックねじ９の頭部は挿入孔７の中に位置しており、ロックねじ９の頭部が筐体１の裏面側に突出することはないから、このことによっても見映えのよい外観を得ることができる。
【００２２】
【発明の効果】
請求項１の発明は、箱本体と、箱本体の一面に沿ってスライドするように移動方向が規制され箱本体の前記一面を開閉する蓋体と、前記箱本体の前記一面とは異なる面から挿入されるとともに先端部が前記一面に露出可能とされたロックねじと、前記箱本体においてロックねじが挿通される挿入孔内に固定されロックねじに螺合するナットとを備え、前記蓋体が前記箱本体の前記一面を閉じた状態で前記蓋体におけるロックねじの先端部との対応部位にはロックねじの先端部が挿抜自在なロック凹所が形成されており、ロックねじをナットに締め付けたときにロックねじの先端部が前記箱本体の前記一面から突出してロック凹所に挿入されるものであり、箱本体に対してスライドするように移動方向が規制された蓋体にロック凹所を設け、ナットに螺合しているロックねじの先端部がロック凹所に挿入されることによって蓋体が閉じた状態での蓋体のスライドを禁止するから、ロックねじは箱本体や蓋体を押し付けることなく蓋体が不用意に外れるのを防止することができる。しかも、箱本体や蓋体を押し付ける必要がないから、蓋体が開くのを防止する機能に影響することなくロックねじの蓋体からの脱落を防止する構成を設けることができる。また、ナットにロックねじを螺合させることによって蓋体に対するロックねじの結合力を高くとることが可能になる。
【００２３】
請求項２の発明は、請求項１の発明において、前記箱本体に電子機器が収納されるとともに電子機器の電源となる電池を交換可能とするように前記一面に電池ホルダが形成され、前記蓋体により電池ホルダが覆われるものであり、電池が不用意に外されるのを防止することができる。
【００２４】
請求項３の発明は、請求項１ないし請求項３の発明において、前記箱本体に電子機器が収納されるとともに電子機器の動作条件を設定する操作部が前記一面に臨んで配置され、前記蓋体により操作部が覆われるものであり、操作部が不用意に操作されて動作条件が変更されるのを防止することができる。
【００２５】
請求項４の発明は、請求項１ないし請求項３の発明において、前記一面は前記箱本体の前面であって、前記ロックねじが前記箱本体の裏面側から挿入されるものであり、ロックねじが筐体の前面側に露出することがなく見映えのよい外観を得ることができる。
【００２６】
請求項５の発明は、請求項１ないし請求項４の発明において、前記ロック凹所が前記蓋板の裏面に突設されたボス内に形成されているものであり、ボス内にロック凹所を設けることでロック凹所の深さを確保することができ、蓋体が開くのを防止する効果が高くなる。
【００２７】
請求項６の発明は、請求項１ないし請求項５の発明において、前記ロックねじの先端側がねじ部であり基部側がねじ部よりも直径の小さい非ねじ部であって、前記挿入孔の内部に、非ねじ部とねじ部との間に形成される段部を係止してロックねじを抜け止めする係止片が形成されているものであり、係止片により段部が係止されることによってロックねじの蓋体からの脱落を防止することができる。
【００２９】
請求項７の発明は、請求項１ないし請求項６の発明において、前記ロックねじの先端部を前記ロック凹所に挿入した状態で前記挿入孔内に前記ロックねじの頭部が収まるように前記ロックねじと前記挿入孔との寸法が設定されているものであり、ロックねじを締めた状態でロックねじの頭部が筐体の外部に突出せず見映えのよい外観を得ることができる。
【図面の簡単な説明】
【図１】本発明の実施の形態を示し、（ａ）は分解斜視図、（ｂ）は要部斜視図である。
【図２】同上の蓋体を開いた状態の斜視図である。
【図３】同上の斜視図である。
【図４】同上に用いる蓋体の後面側の斜視図である。
【図５】（ａ）は同上におけるロックねじを緩めた状態の要部断面図、（ｂ）は同上におけるロックねじを締めた状態の要部断面図である。
【符号の説明】
１  筐体
２  箱本体
３  蓋体
４  案内溝
５  案内突起
６  ボス
６ａ  ロック凹所
７  挿入孔
８  ナット
９  ロックねじ
９ａ  ねじ部
９ｂ  非ねじ部
９ｃ  段部
１０ａ  係止片
１１  電池ホルダ
１４ａ，１４ｂ  操作部
【図１】
0003671800.tif 000002
【図２】
0003671800.tif 000003
【図３】
0003671800.tif 000004
【図４】
0003671800.tif 000005
【図５】
0003671800.tif 000006